(57)【要約】【課題】ベーン形状と吹出口形状の改良により、冷房運転時の吹出口への結露を防止できる空気調和機を提供することを目的とする。【解決手段】この発明に係る空気調和機は、部屋の天井等に据え付けられ、外箱の開放された一面を塞ぐように化粧パネル１を設け、内側風路壁と外側風路壁からなる複数の吹出口１０と、吸込口とを下面に向けて設けた室内機を有する空気調和機において、吹出口１０を、外箱１６の側壁側の長さが内側より長い形状としたものである。【選択図】図４
2010121934.tif 000002
【特許請求の範囲】
【請求項１】
部屋の天井等に据え付けられ、外箱の開放された一面を塞ぐように化粧パネルを設け、内側風路壁と外側風路壁からなる複数の吹出口と、吸込口とを下面に向けて設けた室内機を有する空気調和機において、
前記吹出口を、前記外箱の側壁側の長さが内側より長い形状としたことを特徴とする空気調和機。
【請求項２】
前記吹出口の形状を台形としたことを特徴とする請求項１記載の空気調和機。
【請求項３】
部屋の天井等に据え付けられ、外箱の開放された一面を塞ぐように化粧パネルを設け、内側風路壁と外側風路壁からなる複数の吹出口と、吸込口とを下面に向けて設けた室内機を有する空気調和機において、
前記内側風路壁の長手方向両端部を長手方向中央部より凹ませたことを特徴とする空気調和機。
【発明の詳細な説明】
【技術分野】
【０００１】
この発明は、天井カセット埋込形空気調和機に係り、ベーン（風向偏向板）形状と吹出口形状の改良により冷房運転時の吹出口への結露を防止する技術に関するものである。
【背景技術】
【０００２】
従来の天井カセット埋込形空気調和機は、吹出口上流の流路外側の空気流速が高いことにより、吹出口周辺や風向調整板の結露、および天井の汚れを引き起こす恐れがあった。そこで、主風向調整板の他に、その上流の流路内に流れ方向に沿って、流路外側から内側に向かうよう配置された副風向調整板を設け、流速の高い気流を減速させて、流路内空気流速の一様化を図り気流乱れを低減する空気調和機が提案されている（例えば、特許文献１参照）。
【０００３】
また、従来の天井カセット埋込形空気調和機は、室内へ空気を吹出す吹出口の形状が長方形である。吹出口が長方形の場合、外壁側と内壁側との風量分布の差により、外壁側の風速が大きくなる。
【０００４】
また、送風性能を悪化することなく、風向変更板への結露防止を実現し、植毛レス風向変更板の信頼性を高めるため、下面に吹出口を有し、吹出口を全開時、吹出口と略同一面となる風向変更板を備え、風向変更板の上流側端面と相対する吹き出し回路壁部に曲面状の風路拡大部をもうけ、さらに風路拡大部の下流側を、その風路拡大部上流側吹き出し回路壁部の延長線よりも風向変更板負圧面側に突出させる空気調和機が提案されている（例えば、特許文献２参照）。
【０００５】
さらに、空気吹出口を形成する内外面流路壁の断面形状が垂直方向から水平方向に向けたアール面であり、それら流路壁間に垂直方向から水平方向に向けたアール面の気流案内羽根を設けてなる空気調和装置において、外面流路壁の曲率半径ｒ１と内面流路壁の曲率半径ｒ３と羽根の曲率半径ｒ２とが、ｒ１≦ｒ２≦ｒ３の関係に設定し、冷房時に羽根の水平吹出時において、その裏面側下流部分に結露のないよう羽根で画成された外側流路を流れる風量Ｑ１と内側流路を流れる風量Ｑ２との配分比が略１．５≧Ｑ１／Ｑ２≧１と制御でき、羽根の裏面側下流に気流剥離を生ぜず、結露は生じにくくなる空気調和装置の空気吹出構造が提案されている（例えば、特許文献３参照）。
【先行技術文献】
【特許文献】
【０００６】
【特許文献１】特開平１０−３２５５９５号公報
【特許文献２】特開平１１−１０１４８３号公報
【特許文献３】特開平１１−１１８２３３号公報
【特許文献４】特開平１１−１０５５５０号公報
【発明の概要】
【発明が解決しようとする課題】
【０００７】
従来の空気調和機は、上記のように構成されているので、それぞれ以下のような課題があった。
ａ．特許文献１の空気調和機は、ベーンや駆動装置が２倍必要となり、コスト高であった。
ｂ．吹出口が長方形断面形状の空気調和機は、外壁側の風速が大きくなり、吹出口内の風速分布が不均一であった。
ｃ．特許文献２の空気調和機は、吹出口中央部の結露は防止できるが、風速が小さい吹出口両側の結露が防止できなかった。
ｄ．特許文献３の空気調和機は、羽根の結露は防止できるが、吹出口付近の結露の防止は十分とは言えない。
【０００８】
この発明は、上記のような課題を解決するためになされたもので、ベーン（風向偏向板）形状と吹出口形状の改良により、冷房運転時の吹出口への結露を防止できる空気調和機を提供することを目的とする。
【課題を解決するための手段】
【０００９】
この発明に係る空気調和機は、部屋の天井等に据え付けられ、外箱の開放された一面を塞ぐように化粧パネルを設け、内側風路壁と外側風路壁からなる複数の吹出口と、吸込口とを下面に向けて設けた室内機を有する空気調和機において、吹出口を、外箱の側壁側の長さが内側より長い形状としたものである。
【発明の効果】
【００１０】
この発明に係る空気調和機は、上記構成により、速度勾配によって生じる乱れや剥離が抑制できるので、室内空気の巻き込みが減り、吹出口付近の結露を防止できる。また、風速分布の不均一や乱れ、剥離の低減により、圧力変動によって生じる騒音を低減することができる。
【図面の簡単な説明】
【００１１】
【図１】実施の形態１を示す図で、天井カセット埋込形空気調和機の室内機２０の縦断面図である。
【図２】実施の形態１を示す図で、吹出口１０付近の拡大図である。
【図３】実施の形態１を示す図で、吹出口１０付近の拡大図である。
【図４】実施の形態２を示す図で、化粧パネル１の部分平面図である。
【図５】実施の形態３を示す図で、吹出口１０付近の拡大図である。
【図６】実施の形態３を示す図で、内側風路壁８の斜視図である。
【図７】実施の形態４を示す図で、吹出口１０付近の拡大図である。
【発明を実施するための形態】
【００１２】
実施の形態１．
図１乃至３は実施の形態１を示す図で、図１は天井カセット埋込形空気調和機の室内機２０の縦断面図、図２、３は吹出口１０付近の拡大図である。
【００１３】
図１により、天井カセット埋込形空気調和機の室内機２０の全体構成を簡単に説明する。室内機２０は、断熱材１７が内面に施された外箱１６の開放された一面を塞ぐように、化粧パネル１が当接結合され、固定ボルトにより据付金具（図示せず）を介して天壁に固定される。外箱１６の内部中央付近に、ターボファン５ａをファンモーター５ｂで駆動する室内送風機５を備えている。室内送風機５が吸込口７のグリル１１、フィルタ１２及びベルマウス１３を通して室内空気を吸い込み、一次側空間１４に高圧空気を吐き出す。高圧空気は室内熱交換器４を通り、二次側空間１５に入り、吹出口１０から室内へ吹き出される。化粧パネル１に形成された吹出口１０は、内側風路壁８と、外側風路壁９とにより構成される。また、吹出口１０には、室内へ吹出される空気の風向を偏向するベーン２（風向偏向板）が設けられている。室内熱交換器４の下方に、空気調和機の運転により室内熱交換器４で発生するドレン水を受けるドレンパン３が設置されている。
【００１４】
この発明の実施の形態の特徴は、ベーン２の形状にある。以下、図面を用いて、それを説明する。図２に示すように、吹出口１０に設けられて、室内へ吹出される空気の風向を偏向するベーン２の上流側部分を、内側風路壁８から離れる方向（ベーン２が水平方向では上向き）に屈曲させて、屈曲部２ａとする。
【００１５】
ベーン２を上記のように構成することにより、ベーン２の角度を水平方向に設定した場合でも、ベーン２の内側（図２のベーン２の右側）の風路面積を確保することができ、この部分の風速が低下せず、室内空気を巻き込む恐れが少ない。これにより、例えば冷房運転時、温度の高い室内空気と温度の低い吹出し空気の混合によるベーン２への結露を防止できる。
【００１６】
また、ベーン２全体の形状や長さを変えないので、室内機２０の停止時にベーン２が吹出口１０のシャッターとなり、ベーン２の短手方向の長さを短くして、本実施の形態と一応同様の効果のあるものと比較して吹出口１０の空隙が小さくなるので意匠性が向上する。
【００１７】
尚、図３に示すように、室内へ吹出される空気の風向を偏向するベーン２の上流側部分を、内側風路壁８から離れる方向（ベーン２が水平方向では上向き）に曲率を小さくして屈曲させても良い。この場合の、曲率を小さくした屈曲部２ｂの効果は、図２のものと同様である。
【００１８】
実施の形態２．
図４は実施の形態２を示す図で、化粧パネル１の部分平面図である。
図４に示すように、本実施の形態は、吹出口１０の形状を、外側が長辺、内側が短辺となる台形とした点に特徴がある。吹出し空気は、図１に示すように、室内熱交換器４を出た後外箱１６の側壁で約９０゜方向転換されるので、外箱１６の側壁に沿った流れとなり、外箱１６の側壁側の風量が大きくなる。風量分布に合わせた台形形状とすることで、吹出口１０から吹出される空気の風速分布の不均一が緩和できる。これにより、速度勾配によって生じる乱れや剥離が抑制できるので、室内空気の巻き込みが減り、吹出口１０付近の結露を防止できる。また、風速分布の不均一や乱れ、剥離の低減により、圧力変動によって生じる騒音を低減することができる。
【００１９】
吹出口１０の形状を台形にしたものを示したが、吹出口１０の外箱１６の側壁側の長さが、内側より長い形状であれば台形以外の形状でもよい。
【００２０】
実施の形態３．
図５、６は実施の形態３を示す図で、図５は吹出口１０付近の拡大図、図６は内側風路壁８の斜視図である。
【００２１】
図５、６に示すように、内側風路壁８の長手方向両端部を長手方向中央部に比べて大きく凹ませる。吹出口１０断面形状を吹出口１０の長手方向に一様とした場合、吹出空気の風量は長手方向中央部で多く、長手方向両端部で少なくなる。そこで、内側風路壁８の長手方向両端部を長手方向中央部に比べ凹ませ、風路面積を大きくすることにより、長手方向両端部の風量を確保する。これにより、長手方向両端部の風速が大きくなり、室内空気を巻き込みにくくなるので、吹出口両端部の結露を防止できる。
【００２２】
また、長手方向両端部を凹ませたことにより、内側風路壁８に沿った流れはベーン２に衝突することとなるので、ベーン２上で流れが剥離することなく、ベーン２への結露も防止することができる。
【００２３】
実施の形態４．
図７は実施の形態４を示す図で、吹出口１０付近の拡大図である。
図７のように、外側風路壁９の断面形状を長手方向に同一とし、且つその断面形状を二つの円弧で構成し、上流側円弧の半径Ｒ１と下流側円弧の半径Ｒ２との関係を、Ｒ１＞Ｒ２とすることで、外側風路壁９上の点Ｐ１（上流側円弧と下流側円弧との交点）で吹出し空気を剥離させる。
【００２４】
一方、吹出し空気の流れにより、吹出口１０に向かって室内空気が誘引されるが、この流れは曲率Ｒ２の円弧の終点Ｐ２で剥離させる。Ｐ１とＰ２間の距離（例えば、１０ｍｍ以上）を確保することにより、吹出し空気と巻き込み空気の混合がなくなり、また、外側風路壁９表面の温度勾配も緩やかになるので、外側風路壁９上の結露を防止することができる。
【００２５】
尚、各実施の形態は単独でも効果があり、組み合わせれば更に効果がある。
【符号の説明】
【００２６】
１  化粧パネル、２  ベーン、２ａ  屈曲部、２ｂ  曲率を小さくした屈曲部、３  ドレンパン、４  室内熱交換器、５  室内送風機、５ａ  ターボファン、５ｂ  ファンモーター、７  吸込口、８  内側風路壁、８ａ  凹部、９  外側風路壁、１０  吹出口、１１
グリル、１２  フィルタ、１３  ベルマウス、１４  一次側空間、１５  二次側空間、１６  外箱、１７  断熱材、２０  室内機。
【図１】
2010121934.tif 000003
【図２】
2010121934.tif 000004
【図３】
2010121934.tif 000005
【図４】
2010121934.tif 000006
【図５】
2010121934.tif 000007
【図６】
2010121934.tif 000008
【図７】
2010121934.tif 000009